(57)【要約】【課題】  内部にメモリチップなどが収納された薄型の電子機能カードが挿入されるカードコネクタであって、異なる仕様のカードコネクタが装着されるのを阻止できるカードコネクタを提供する。【解決手段】  筐体本体２２の内部に、スライダ４０が（ａ）−（ｂ）方向へ摺動自在に設けられ、スライダ４０を（ｂ）方向へ付勢する圧縮コイルばね５１と、（ａ）方向へ移動したスライダ４０をロックするロック機構３５が設けられている。スライダ４０には（ｃ）−（ｄ）方向へ移動する検知部材４６と、検知部材４６を（ｃ）方向へ付勢するトーション圧縮ばね４７が設けられている。筐体には検知部材４６の選択凸部４６ｅに当たる規制部が設けられており、受け入れるべきでないカードが装着されると、規制部で選択凸部４６ｅの（ａ）方向の移動が阻止される。【選択図】図２
2009164003.tif 000002
【特許請求の範囲】
【請求項１】
電子回路を内蔵したカードが挿入される収納領域を有する筐体と、前記筐体の内部に設けられてカードの挿入方向と排出方向へ進退動作するスライダと、前記スライダをカードの排出方向へ付勢する付勢部材と、カードの挿入方向へ移動した前記スライダをロックするロック機構とが設けられており、
前記スライダには、前記収納領域内に向けて進退動作可能で且つ前記収納領域内へ突出する方向へ付勢されている検知部材が設けられており、
前記検知部材が前記収納領域に突出している状態で前記スライダがカードの挿入方向へ移動しようとしたときに、前記検知部材に当たって前記スライダの移動を規制する規制部が設けられており、前記収納領域内に挿入されたカードの側部によって前記検知部材が前記スライダに押し込まれているときは、前記検知部材が前記規制部に当たることなく、前記スライダが前記ロック機構でロックされる位置まで移動可能とされることを特徴とするカードコネクタ。
【請求項２】
前記スライダにストッパ部が設けられており、前記収納領域に挿入されたカードの先端部が前記ストッパ部に当たるまでの間に、このカードの側部によって前記検知部材が前記スライダに押し込まれる請求項１記載のカードコネクタ。
【請求項３】
電子回路を内蔵したカードが挿入される収納領域を有する筐体と、前記筐体の内部に設けられてカードの挿入方向と排出方向へ進退動作するスライダと、前記スライダをカードの排出方向へ付勢する付勢部材と、カードの挿入方向へ移動した前記スライダをロックするロック機構とが設けられており、
前記スライダには、前記収納領域内に向けて進退動作可能で且つ前記収納領域内へ突出する方向へ付勢されている検知部材が設けられており、
前記検知部材が前記スライダに向けて押し込まれた状態で前記スライダがカードの挿入方向へ移動しようとしたときに、前記検知部材に当たって前記スライダの移動を規制する規制部が設けられており、前記収納領域に挿入されたカードの側部に形成された凹部内に前記検知部材が突出しているときは、前記検知部材が前記規制部に当たることなく、前記スライダが前記ロック機構によってロックされる位置まで移動可能とされることを特徴とするカードコネクタ。
【請求項４】
前記スライダにストッパ部が設けられており、前記収納領域に挿入されたカードの先端部が前記ストッパ部に当たるまでの間に、このカードの側部に形成された凹部内に前記検知部材が突出する請求項３記載のカードコネクタ。
【請求項５】
前記筐体は、前記収納領域を塞ぐ蓋体を有しており、前記規制部が前記蓋体と一体に形成されている請求項１ないし４のいずれかに記載のカードコネクタ。
【請求項６】
前記蓋体に、穴または切欠きが形成されており、前記穴または前記切欠きの縁部の一部が前記規制部とされている請求項５記載のカードコネクタ。
【請求項７】
前記検知部材が、前記収納領域内へ突出しているときと、前記スライダに押し込まれているときとで、検知出力が切換わるスイッチ機構が設けられている請求項１ないし６のいずれかに記載のカードコネクタ。
【発明の詳細な説明】
【技術分野】
【０００１】
本発明は、電子回路を内蔵するカードが装着されるカードコネクタに関するものであり、特に、正規のカード以外のカードの挿入を阻止できるようにしたカードコネクタに関する。
【背景技術】
【０００２】
以下の特許文献に記載のように、デジタルカメラやデジタルビデオカメラ、またはパーソナルコンピュータなどには、メモリカードと称される小型で薄型の電子機能カードが装着されて使用される。この電子機能カードは、合成樹脂材料で形成された小型で薄型のケース（ハウジングと称されることもある）内に、メモリチップや、メモリコントローラなどとして機能するＩＣチップなどが収納されている。そして、ケースの表面に、内部のメモリチップやＩＣチップなどの電子回路に導通する複数の外部接続電極が設けられている。
【０００３】
この種の電子機能カードが装着されるカードコネクタは、筐体の内部に前後方向へ移動するスライダと、このスライダを筐体の挿入口に向けて付勢する付勢部材と、筐体の奥側へ移動したスライダをロックするロック機構が設けられている。特許文献１などに記載されているように、前記スライダには、カードの側部に形成された凹部に嵌合する掛止部材（ラッチ）が設けられている。筐体内にカードが装着され、前記掛止部材が前記凹部に嵌合すると、カードの押込み力によってスライダが筐体の内部に移動してロック機構によりロックされる。このとき、筐体内に設けられた接続端子と、カードの下面に設けられた外部接続電極とが接続される。
【０００４】
この種のカードコネクタは、非常に小型で指の感触でカードが装着されたか否かが判断されるものであるため、カードが表裏逆向きや前後逆向きに挿入されて筐体の奥に挿入されスライダがロックされてしまうと、カードの外部接続電極が接続端子に導通していないのにもかかわらず、操作者は、カードが誤った向きで挿入されたことを理解できないことがあり得る。
【０００５】
そこで、以下の特許文献１に記載されたカードコネクタでは、筐体の内部に誤挿入防止用の突起が固定して設けられ、カードには、筐体内に挿入したときに前記突起と摺動する溝が設けられている。正常な姿勢でカードが挿入されると前記溝と前記突起とが一致して、カードが筐体の内部に挿入可能である。また、カードが正常でない姿勢で挿入されると、前記溝と前記突起の位置が合わないために、カードを筐体の内部まで送ることができなくなる。
【０００６】
また、以下の特許文献２に記載されたカードコネクタは、カードが正常な姿勢で筐体内に挿入されると、カードの側部に形成された凹部とスライダに設けられた掛止凸部とが係合し、カードとスライダとが一体に組み合わされて筐体の奥方向へ移動することが可能になる。一方、カードが誤った姿勢で挿入されてカードに形成された凹部とスライダの掛止凸部とが一致できないときには、カードの側部によってスライダが挿入方向と交叉する方向へ押されてこのスライダが筐体内でロックされてしまい、カードをそれ以上は筐体の内方へ移動させることができなくなる。
【特許文献１】特開２００３−１５０９２１号公報
【特許文献２】特開２００５−３０１９８３号公報
【発明の開示】
【発明が解決しようとする課題】
【０００７】
前記特許文献１に記載されたカードコネクタは、カードの面に挿入方向へ延びる溝を形成しているため、その内部にＩＣなどを配置する際にスペース上の制約を受けることになり、回路の設計の自由度を維持するのが困難である。またカードの面に、その厚み方向に窪む溝が形成されているので、薄い寸法のカードに適用するのは難しい。
【０００８】
また、前記特許文献２に記載されたカードコネクタは、カードが誤った向きで挿入されたときに、このカードの側部に押されたスライダが横方向へ動く構造であるため、誤動作が生じやすく、例えばカードが正常な姿勢で挿入されているのにもかかわらず、スライダが筐体内でロックされてしまって、スライダが動かなくなるなどの問題が生じやすい。
【０００９】
また、特許文献２に記載されたものは、スライダが横方向へ押し出されない限りスライダが筐体の奥側へ移動できる。すなわち、カードが挿入されていないときにスライダがロックされておらず、スライダはいつでも筐体の内部に移動することができる。そのため、本来のカードよりも幅の細いカードやその他の異物が挿入されたときに、これらと共にスライダが一緒に筐体の内部に移動してしまう欠点がある。
【００１０】
さらに、従来のカードコネクタは、本来受け入れるべきカードが表裏逆向きや前後逆向きなどのように誤った姿勢で挿入されたときに、その挿入を阻止することを目的とした構造であり、例えば、形状が似ている２種のカードが存在している場合に、そのうちの一方の挿入を受け付けるが、他方のカードの挿入を阻止するという構造を採用したものは存在していなかった。
【００１１】
本発明は上記従来の課題を解決するものであり、本来受け入れるべき正規のカードと違うカードが挿入されたとき、または前記正規のカードが誤った姿勢で挿入されたときに、その挿入を確実に阻止しやすいカードコネクタを提供することを目的としている。
【００１２】
また、本発明は、形状が似ている２種類のカードが存在しているときに、一方のカードの挿入を受付け、他方のカードの挿入を阻止することができるカードコネクタを提供することを目的としている。
【課題を解決するための手段】
【００１３】
第１の本発明は、電子回路を内蔵したカードが挿入される収納領域を有する筐体と、前記筐体の内部に設けられてカードの挿入方向と排出方向へ進退動作するスライダと、前記スライダをカードの排出方向へ付勢する付勢部材と、カードの挿入方向へ移動した前記スライダをロックするロック機構とが設けられており、
前記スライダには、前記収納領域内に向けて進退動作可能で且つ前記収納領域内へ突出する方向へ付勢されている検知部材が設けられており、
前記検知部材が前記収納領域に突出している状態で前記スライダがカードの挿入方向へ移動しようとしたときに、前記検知部材に当たって前記スライダの移動を規制する規制部が設けられており、前記収納領域内に挿入されたカードの側部によって前記検知部材が前記スライダに押し込まれているときは、前記検知部材が前記規制部に当たることなく、前記スライダが前記ロック機構でロックされる位置まで移動可能とされることを特徴とするものである。
【００１４】
第１の本発明のカードコネクタは、スライダがカードの挿入方向にのみ移動し、このスライダに検知部材が動作自在に設けられ、この検知部材の動作状態によって、スライダの移動が許容され、あるいはスライダが筐体の内部に移動できないようにロックされる。このように、スライダの移動方向が直線方向のみで、このスライダに搭載された検知部材が動作する構造であるため、スライダの移動動作やスライダのロック動作を確実に行うことができる。
【００１５】
また、第１の本発明のカードコネクタは、カードが挿入されていないときに、スライダがロックされており、正規のカードが正常な姿勢で挿入されたときにのみスライダが移動できる構造である。そのため、幅寸法が小さすぎるカードや異物が誤って挿入されたときに、スライダが筐体の奥側へ向けて移動することがなく、正規のカードの正常な姿勢での挿入以外を阻止しやすい。
【００１６】
本発明は、前記スライダにストッパ部が設けられており、前記収納領域に挿入されたカードの先端部が前記ストッパ部に当たるまでの間に、このカードの側部によって前記検知部材が前記スライダに押し込まれるものである。
【００１７】
上記構造とすることにより、正規のカードが正常に挿入されたときにのみ、カードの挿入力によってスライダを筐体の奥方向へ移動させてロックできるようになる。
【００１８】
第２の本発明は、電子回路を内蔵したカードが挿入される収納領域を有する筐体と、前記筐体の内部に設けられてカードの挿入方向と排出方向へ進退動作するスライダと、前記スライダをカードの排出方向へ付勢する付勢部材と、カードの挿入方向へ移動した前記スライダをロックするロック機構とが設けられており、
前記スライダには、前記収納領域内に向けて進退動作可能で且つ前記収納領域内へ突出する方向へ付勢されている検知部材が設けられており、
前記検知部材が前記スライダに向けて押し込まれた状態で前記スライダがカードの挿入方向へ移動しようとしたときに、前記検知部材に当たって前記スライダの移動を規制する規制部が設けられており、前記収納領域に挿入されたカードの側部に形成された凹部内に前記検知部材が突出しているときは、前記検知部材が前記規制部に当たることなく、前記スライダが前記ロック機構によってロックされる位置まで移動可能とされることを特徴とするものである。
【００１９】
上記第２の本発明のカードコネクタも、スライダがカードの挿入方向にのみ直線的に移動する構造であるため、スライダの誤動作が生じ難い。また、カードの側部に形成された凹部が検知部材に対向したときのみ、このカードと共にスライダが筐体の奥側へ移動できるようになる。
【００２０】
第２の本発明においても、前記スライダにストッパ部が設けられており、前記収納領域に挿入されたカードの先端部が前記ストッパ部に当たるまでの間に、このカードの側部に形成された凹部内に前記検知部材が突出するものが好ましい。
【００２１】
第１の本発明および第２の本発明では、前記筐体は、前記収納領域を塞ぐ蓋体を有しており、前記規制部が前記蓋体と一体に形成されているものが好ましく、さらには、前記蓋体に、穴または切欠きが形成されており、前記穴または前記切欠きの縁部の一部が前記規制部とされているものが好ましい。
上記構成では、筐体を薄型に構成することができる。
【００２２】
さらに、前記検知部材が、前記収納領域内へ突出しているときと、前記スライダに押し込まれているときとで、検知出力が切換わるスイッチ機構が設けられているものとして構成できる。
【００２３】
検知部材の位置によってスイッチ機構が動作する構造にすると、受け入れるべき正規のカードが正常に挿入されているか否かを常に確実に把握できるようになる。
【発明の効果】
【００２４】
本発明では、本来受け入れるべき正規のカード以外のカードが挿入されたとき、または正規のカードが誤った向きで挿入されたときに、その挿入を阻止することができる。
【００２５】
また、第１の本発明では、カードが挿入されていないときにスライダがロックされているため、正規のカードよりも幅寸法の小さいカードやその他の異物が挿入されたときに、その挿入を阻止しやすい。
【００２６】
また、本発明は、形状が類似した２種のカードが存在しているときに、その一方のカードの挿入を可能とし他方のカードの挿入を阻止するものとすることが可能である。
【発明を実施するための最良の形態】
【００２７】
図１は、本発明の第１の実施の形態のカードコネクタの外観を示す斜視図、図２は第１の実施の形態のカードコネクタに第１のカードが装着される状態を蓋体を外して示す斜視図である。図３（Ａ）は第１の実施の形態のカードコネクタのスライダと検知部材を示す斜視図、図３（Ｂ）はさらに規制部の構造を示す斜視図である。図４と図５は、第１の実施の形態のカードコネクタに第１のカードが装着された状態を蓋体を外して動作別に示す平面図である。図６は、第１の実施の形態に、第２のカードが挿入された状態を蓋体を外して示す平面図である。
【００２８】
図７は、本発明の第２の実施の形態のカードコネクタの規制部の構造を示す斜視図である。図８と図９は、第２の実施の形態のカードコネクタに第２のカードが装着された状態を蓋体を外して動作別に示す平面図である。図１０は、第２の実施の形態に、第１のカードが挿入された状態を蓋体を外して示す平面図である。
【００２９】
図１１は、第１の実施の形態カードコネクタと第２の実施の形態のカードコネクタの筐体本体の底部の構造を示す平面図である。
【００３０】
図１２は第１のカードの平面図、図１３は第１のカードの左側面図、図１４は第１のカードを斜め下側から示す斜視図である。図１５は第２のカードの平面図である。
【００３１】
本発明の第１の実施の形態のカードコネクタ２０には、第１のカードＣ１が正規のカードとして装着されるが、第２のカードＣ２は装着できない。第２の実施の形態のカードコネクタ７０には、第２のカードＣ２が正規のカードとして装着されるが、第１のカードＣ１は装着できない。第１のカードＣ１と第２のカードＣ２はケースの寸法が同じでケースの構造が少し相違している。まず、第１のカードと第２のカードの形状およびその相違点を説明する。
【００３２】
（第１のカードの形状）
図１２ないし図１４に示される第１のカードＣ１は、いわゆるマルチメディアカードなどのメモリデバイスとして使用される。第１のカードＣ１は、プラスチック製のケース１を有しており、このケース１内に、フラッシュメモリなどのメモリチップや、メモリコントローラとして機能するＩＣチップなどが収納されている。
【００３３】
図１３に示すように、ケース１は、表面１ａと裏面１ｂを有している。表面１ａと裏面１ｂは互いに平行な平面であり、表面１ａと裏面１ｂの間隔が第１のカードＣ１の厚み寸法Ｔである。図１４に示すように、裏面１ｂの前方には、複数個（１３個）の外部接続電極５が露出している。外部接続電極５の表面はケース１の裏面１ｂとほぼ同一面である。
【００３４】
ここで、「表面」と「裏面」とは外部接続電極５を有する面と有しない面を識別するための便宜上の名称であり、どちらの面が表面１ａでどちらの面が裏面１ｂであってもよい。
【００３５】
図１２ないし図１４に示すように、ケース１は前端部１ｃと、後端部１ｄを有している。また右側部１ｅと左側部１ｆを有している。
【００３６】
図１３に示すように、前端部１ｃは、表面１ａと垂直な平面であり、表面１ａと裏面１ｂとの角部には前方傾斜面２が形成されている。後端部１ｄは、表面１ａおよび裏面１ｂに垂直な平面である。右側部１ｅと左側部１ｆは、表面１ａおよび裏面１ｂと垂直な平面である。図１２に示すように、前端部１ｃと右側部１ｅとの境界部および前端部１ｃと左側部１ｆとの境界部、すなわち前端部１ｃの左右両側部には、円筒面の一部である前方コーナー曲面３，３が形成されている。後端部１ｄと右側部１ｅとの境界部および後端部１ｄと左側部１ｆとの境界部、すなわち後端部１ｄの左右両側部にも、円筒面の一部である後方コーナー曲面４，４が形成されている。
【００３７】
図１２に示すように、ケース１１を表面１ａ側から見た平面図では、ケース１の形状は前後に延びる中心線Ｏ−Ｏを介して左右に対称の形状である。
【００３８】
ケース１の前方部分では、右側部１ｅと左側部１ｆから中心線Ｏ−Ｏに向けて窪む前方凹部６，６が形成されている。前方凹部６，６は、右側部１ｅおよび左側部１ｆと平行で且つ右側部１ｅおよび左側部１ｆから中心線Ｏ−Ｏに向けて距離Ｗ１だけ内側に位置する内側面６ａ，６ａと、裏面１ｂと平行な内底面６ｃ，６ｃとを有している。右側の前方凹部６の後端部と右側部１ｅとの間、および左側の前方凹部６の後端部と左側部１ｆとの間には、それぞれ傾斜部６ｂ，６ｂが形成されている。傾斜部６ｂ，６ｂは、後方に向かうにしたがって中心線Ｏ−Ｏから徐々に離れる面であり、傾斜部６ｂ，６ｂは平面または曲率を有する曲面である。
【００３９】
図１３に示すように、前方凹部６，６は、ケース１の表面１ａから裏面１ｂに向けて窪んでいる。ケース１の表面１ａから前方凹部６の内底面６ｃまでの距離、すなわち前方凹部６，６の表面１ａから裏面１ｂに向けた深さ寸法ｔ１は、第１のカードＣ１の全体の厚み寸法Ｔのほぼ１／２である。また、前記前方凹部６，６が表面１ａから窪んで形成された結果、それよりも裏面側には、裏面１ｂと前記内底面６ｃ，６ｃとで挟まれた部分である薄肉部７，７が形成されている。この薄肉部７，７の厚さ寸法ｔ２も、第１のカードＣ１の全体の厚み寸法Ｔのほぼ１／２である。
【００４０】
前方凹部６，６は、前端部１ｃの左右両側部にて前方に開放されている。よって、図１４に示すように、前端部１ｃの厚さ寸法は、その中央のほとんどの部分がＴであるが、両側部においては、厚さ寸法はｔ２である。図１２に示すように、前方凹部６，６の前後の長さ寸法Ｌ１は、ケース１の前端部１ｃから、傾斜部６ｂ，６ｂの後端部までの距離である。
【００４１】
ケース１の右側部１ｅと左側部１ｆでは、前方凹部６，６の後端部よりも後方へ距離Ｌ２だけ空けた位置に、中間凹部８，８が形成されている。中間凹部８，８の前後方向の長さ寸法Ｌ３は、前記前方凹部６，６の前後方向の長さ寸法Ｌ１よりも短い。
【００４２】
中間凹部８，８は、右側部１ｅおよび左側部１ｆよりも中心線Ｏ−Ｏ側に位置し且つ右側部１ｅおよび左側部１ｆと平行な内側端８ａ，８ａを有している。右側の中間凹部８における右側部１ｅから内側端８ａまでの幅寸法、ならびに左側の中間凹部８における左側部１ｆから前内端８ｂまでの幅寸法Ｗ２は、前記前方凹部６，６の幅寸法Ｗ１とほぼ同じである。
【００４３】
中間凹部８，８は前内端８ｂと後内端８ｃを有しており、前内端８ｂと後内端８ｃとの間の前後の間隔が、中間凹部８，８の長さ寸法Ｌ３である。
【００４４】
図１３と図１４に示すように、中間凹部８，８は内底端８ｄ，８ｄを有しており、この内底端８ｄ，８ｄは、裏面１ｂと平行である。表面１ａから内底端８ｄ，８ｄまでの寸法が、中間凹部８，８の深さ寸法ｔ３であり、この深さ寸法ｔ３は、前記前方凹部６の深さ寸法ｔ１よりも大きい。中間凹部８，８の深さ寸法ｔ３が、前方凹部６，６の深さ寸法ｔ１よりも大きいため、図２に示すように、スライダ４０に設けられた保持板ばね４９の掛止部４９ａが、中間凹部８，８に入り込みやすい。
【００４５】
図１２に示すように、ケース１の後端部１ｄよりも少し内側には、表面１ａから窪む摘み凹部９が形成されている。図１に示すように、第１のカードＣ１がカードコネクタ２０に装着されると、前記摘み凹部９を有する後端部分が、カードコネクタ２０から突出する。この摘み凹部９に指の爪を掛けるなどして、第１のカードＣ１をカードコネクタ２０から引き出すことができる。
【００４６】
（第２のカードの形状）
図１５に示すように、第２のカードＣ２はケース１１を有しており、このケース１１内に、メモリチップやその他のＩＣチップなどが収納されている。
【００４７】
第２のカードＣ２のケース１１の右側部１ｅの前方と左側部１ｆの前方に形成された前方凹部１６，１６は、第１のカードＣ１の左右両側部の前方凹部６，６よりも長いが、これ以外の形状について、第１のカードＣ１と第２のカードＣ２は、全てにおいて同じである。すなわち、第２のカードＣ２のケース１１の厚み寸法Ｔと幅寸法Ｗ０および縦方向の長さ寸法の全長は、第１のカードＣ１のケース１と同じである。第２のカードＣ２のケース１１に形成されている中間凹部８，８の形状と寸法および位置は、第１のカードＣ１のケース１と同じである。その他、図１５では、第１のカードＣ１のケース１と同じ部分には同じ符号を付してその詳しい説明を省略する。
【００４８】
図１５に示す第２のカードＣ２に形成された前記前方凹部１６，１６は、中心線Ｏ−Ｏに近づく位置に内側面１６ａを有している。内側面１６ａの位置、すなわち前方凹部１６，１６の幅寸法Ｗ１は、図１２に示すケース１の前方凹部６，６の幅寸法Ｗ１と同じである。またケース１１の表面１ａから、前方凹部１６の内底面１６ｃまでの寸法、すなわち前方凹部１６，１６の深さ寸法は、図１３に示すケース１の前方凹部６，６の深さ寸法ｔ１と同じである。第２のカードＣ２のケース１１には、前方凹部６，６よりも裏面側に薄肉部１７，１７が設けられているが、この薄肉部１７，１７の幅寸法および厚み寸法も、第１のカードＣ１の薄肉部７，７と同じである。
【００４９】
ただし、図１５に示すケース１１の前方凹部１６，１６および薄肉部１７，１７の長さ寸法Ｌ１１，すなわち、前端部１ｃから、前方凹部１６，１６の後端に位置する傾斜部１６ｂの後端までの距離Ｌ１１は、図１２に示すケース１の前方凹部６，６および薄肉部７，７の長さ寸法Ｌ１よりも長い。第１のカードＣ１と第２のカードＣ２は、前方凹部６，６の長さ寸法Ｌ１と、前方凹部１６，１６の長さ寸法Ｌ１１の違いによってのみ、互いに識別できる。
【００５０】
第２のカードＣ２のケース１１に形成されている中間凹部８，８の長さ寸法Ｌ３は、ケース１の中間凹部８，８の長さ寸法Ｌ３と同じである。また、図１５に示す長さ寸法Ｌ１１＋Ｌ１２は、図１２に示す長さ寸法Ｌ１＋Ｌ２と同じである。つまり、図１５に示すケース１１における前端部１ｃから中間凹部８，８の前内端８ｂ，８ｂまでの距離は、図１２に示すケース１の前記距離と同じである。
【００５１】
第２のカードＣ２のケース１１の裏面１ｂに現れている外部接続電極の数および位置ならびに形状は、図１４に示す第１のカードＣ１のケース１の裏面１ｂに現れている外部接続電極５と全く同じである。
【００５２】
第１のカードＣ１と第２のカードＣ２は、その仕様が相違している。仕様の違いは、例えば、駆動電圧の違い、すなわち、電源用の外部接続電極を介してケース１，１１内の回路に供給すべき電圧の相違である。または、前記仕様の相違は、ケース１，１１の内部に収納されているメモリチップのメモリ容量の違いである。
【００５３】
図１２と図１５に示すように、第１のカードＣ１のケース１と第２のカードＣ２のケース１１は、いずれも中心線Ｏ−Ｏに対して左右対称形状であり、全体の平面形状が長方形である。そのため、ケース１，１１の内部のスペースを有効的に広く使用することができ、小型で且つ薄型でありながら、内部のＩＣチップやその他の回路を集積して配置することが可能である。
【００５４】
しかも、前方凹部６または前方凹部１６と、中間凹部８が、ケース１，１１の表面１ａ側からのみ窪んでいるため、ケースの表裏を見分けやすい。また、前方凹部６または前方凹部１６が、左右両側部１ｅ，１ｆにおいて、前方の領域に形成されているため、ケースの前後も区別しやすい。
【００５５】
（第１の実施の形態のカードコネクタ２０の構造）
本発明の第１の実施の形態のカードコネクタ２０の構造を説明する。
【００５６】
図１に示すように、このカードコネクタ２０は筐体２１を有している。筐体２１は、合成樹脂製の筐体本体２２と、金属板で形成されて筐体本体２２の上方に被せられた蓋体２３とで構成されている。
【００５７】
図２と図４に示すように、筐体本体２２は枠体形状である。筐体本体２２は、前壁部２４、後壁部２５、右壁部２６、左壁部２７および底壁部２８が一体に形成されている。前壁部２４の上面２４ａ、後壁部２５の上面２５ａ、右壁部２６の上面２６ａならびに左壁部２７の上面２７ａは、互いに同一面である。図１に示すように、蓋体２３の天井板２３ａの下面は、筐体本体２２の前記各壁部の上面２４ａ，２５ａ，２６ａ，２７ａに密着するように設置されている。蓋体２３には、後側板２３ｂと右側板２３ｃおよび左側板２３ｄが設けられ、これらは天井板２３ａから直角に折り曲げられている。後側板２３ｂは、筐体本体２２の後壁部２５の外面に設置され、右側板２３ｃと左側板２３ｄは、それぞれ筐体本体２２の右壁部２６の外面と左壁部２７の外面に設置されている。
【００５８】
筐体２１の厚さ寸法は、筐体本体２２の底壁部２８の下面から、蓋体２３の天井板２３ａの上面までの高さ寸法で決められている。筐体２１の内部には、底壁部２８の上面と天井板２３ａの下面との間の隙間であるカードの収納領域が形成されている。この収納領域の内側の高さ寸法は、筐体本体２２の底壁部２８の上面から、蓋体２３の天井板２３ａの下面までの高さ寸法で決められる。収納領域の内側の高さ寸法は、第１のカードＣ１ならびに第２のカードＣ２の全体の厚み寸法Ｔとほぼ同じか、または厚み寸法Ｔよりもわずかに大きい寸法である。
【００５９】
図２および図４に示すように、筐体本体２２の左壁部２７の内面が案内基準面２７ｂであり、第１のカードＣ１と第２のカードＣ２は、その左側部１ｆが前記案内基準面２７ｂを摺動しながら、筐体２１の奥側（（ａ）側）へ向けて挿入される。筐体本体２２の前壁部２４には、前記案内基準面２７ｂに間隔を開けて対向する右案内面２４ｂが形成されている。
【００６０】
左壁部２７の内面の案内基準面２７ｂと、前壁部２４の右案内面２４ｂと、底壁部２８の上面および天井板２３ａの下面で囲まれている部分が、カードの挿入口２９である。この挿入口２９の幅寸法は、第１のカードＣ１と第２のカードＣ２の幅寸法Ｗ０とほぼ同じか、またはわずかに大きい寸法である。
【００６１】
図２と図４などに示すように、筐体本体２２の内部の右側にスライダ４０が設けられており、このスライダ４０は、右壁部２６の内面に沿って（ａ）−（ｂ）方向へ摺動自在に設けられている。（ａ）方向は、筐体２１内の奥側およびカードの挿入方向であり、（ｂ）方向は、筐体２１の手前側およびカードの排出方向である。筐体本体２２の後壁部２５の内面とスライダ４０との間には、付勢部材として圧縮コイルばね５１が介在しており、この圧縮コイルばね５１の弾性力によって、スライダ４０が（ｂ）方向へ付勢されている。
【００６２】
図３（Ａ）に示すように、スライダ４０の左側部には案内面４１が形成されている。案内面４１は、前記前壁部２４に形成された右案内面２４ｂの奥側でほぼ同じ位置にあり、左壁部２７に形成された案内基準面２７ｂと平行である。筐体２１の内部では案内基準面２７ｂと案内面４１とで挟まれた空間が、カードの収納領域である。
【００６３】
スライダ４０の奥側（（ａ）側）の端部には、収納領域内に向けて（ｃ）方向へ突出するストッパ部４４が一体に設けられている。ストッパ部４４よりも手前側（（ｂ）側）には、案内凸部４５が一体に形成されている。案内凸部４５は、前記案内面４１よりも上方において収納領域内に向けて（ｃ）方向へ突出し、且つ均一な厚さ寸法で前後方向（（ａ）−（ｂ）方向）へ延びている。前記ストッパ部４４よりも手前側では、下半分に前記案内面４１と連続する案内面を有する下部案内部４１ａが形成されており、上半分に前記案内凸部４５が突出している。
【００６４】
案内凸部４５の厚さ寸法ｔａは、図１３に示している第１のカードＣ１の前方凹部６の深さ寸法ｔ１とほぼ一致し、下部案内部４１ａの高さ寸法は、第１のカードＣ１の薄肉部７の厚さ寸法ｔ２とほぼ一致している。図４に示すように、第１のカードＣ１が挿入されると、その右前方の薄肉部７が前記下部案内部４１ａの内部に入り込み、案内凸部４５が第１のカードＣ１の右前方に形成されている前方凹部６に入り込む。
【００６５】
図３（Ａ）に示すように、スライダ４０の上部には、図示左方向へ開放する摺動凹部４０ａが形成されており、この摺動凹部４０ａの内部に検知部材４６が収納されている。検知部材４６は合成樹脂製であり、スライダ４０の移動方向である（ａ）−（ｂ）方向と直交する（ｃ）−（ｄ）方向へ摺動自在に設けられている。検知部材４６の収納領域に向く側は三角形状に突出しており、（ａ）側に向く第１傾斜面４６ａと（ｂ）側に向く第２傾斜面４６ｂを有している。
【００６６】
摺動凹部４０ａ内には検知部材４６を収納領域に向けて付勢する付勢部材であるトーション圧縮ばね４７が設けられている。前記摺動凹部４０ａ内には、前記検知部材４６の突出量を規制するストッパが設けられており、検知部材４６に外力が作用していないときに、第１傾斜面４６ａと第２傾斜面４６ｂとの境界部である頂部４６ｃの案内面４１からの突出寸法は、前記案内凸部４５の案内面４１からの突出寸法にほぼ等しい。また、案内面４１から突出している部分での検知部材４６の厚さ寸法は、前記案内凸部４５の厚さ寸法ｔａとほぼ等しく、検知部材４６の高さ位置も案内凸部４５とほぼ同じである。
【００６７】
図３（Ａ）に示すように、検知部材４６の上面４６ｄは、スライダ４０の上面とほぼ同一面である。検知部材４６には前記上面４６ｄから上方へ突出する選択凸部４６ｅが一体に形成されている。この選択凸部４６ｅは、スライダ４０の前記上面よりも上方へ突出している。
【００６８】
前記検知部材４６の第１傾斜面４６ａと第２傾斜面４６ｂは、案内凸部４５の（ｂ）側の端部に隣接する位置で収納領域内に突出している。図４に示すように、第１のカードＣ１が装着されたときには、第１のカードＣ１の前端部１ｃがストッパ部４４に当たる前の時点で、または当たる直前に、第１のカードＣ１の右前方の前方凹部６が検知部材４６よりも前方に位置する。よって、検知部材４６は、第１のカードＣ１の前方凹部６よりも後方の右側部１ｅによって（ｄ）方向へ押され、検知部材４６は、スライダ４０の内部に押し込まれる。
【００６９】
一方、図６に示すように、第２のカードＣ２が挿入されて、その前端部１ｃがストッパ部４４に当たったときには、検知部材４６は、第２のカードＣ２の右前方の前方凹部１６内に入り込んでおり、検知部材４６は収納領域に向けて（ｃ）方向へ突出している。
【００７０】
図１および図３（Ｂ）に示すように、前記蓋体２３の天井板２３ａには、厚み方向に貫通する穴部（または切欠き部）５５が開口している。穴部５５は、（ｃ）側の部分が（ａ）−（ｂ）へ短い距離で延びる規制移動部５５ａであり、（ｄ）側の部分が（ａ）−（ｂ）方向へ長い距離で延びる挿入移動部５５ｂである。穴部５５の縁部には、規制移動部５５ａと挿入移動部５５ｂとの境界部に段差部が形成されており、この段差部が規制部５６となっている。
【００７１】
前記規制移動部５５ａの幅寸法Ｂ１は、前記検知部材４６に形成された選択凸部４６ｅに当たることのできる大きさである。図３（Ａ）（Ｂ）に示すように、検知部材４６が（ｃ）方向へ突出しているときに、スライダ４０が（ａ）方向へ移動すると、検知部材４６の選択凸部４６ｅが規制部５６に当たり、それ以上のスライダ４０の（ａ）方向への移動が規制される。すなわち、スライダ４０の移動範囲は、規制移動部５５ａの範囲に限定される。
【００７２】
前記挿入移動部５５ｂの幅寸法Ｂ２は、前記選択凸部４６ｅの幅寸法よりも大きい。図４に示すように、検知部材４６が（ｄ）方向へ押し込まれた状態で、スライダ４０が（ａ）方向へ移動すると、選択凸部４６ｅが挿入移動部５５ｂ内において（ａ）方向へ長く移動することができる。
【００７３】
図３（Ａ）に示すように、スライダ４０の手前側（（ｂ）側）の上面には、保持凹部４０ｂが形成されており、この保持凹部４０ｂ内に、保持板ばね４９が保持されている。この保持板ばね４９は山状に折り曲げられた掛止部４９ａを有しており、この掛止部４９ａが、案内面４１よりも（ｃ）方向へ突出している。掛止部４９ａの厚さ寸法は前記案内凸部４５の厚さ寸法ｔａとほぼ同じであり、掛止部４９ａが案内面４１から突出している高さ位置は、案内凸部４５の突出位置にほぼ一致している。
【００７４】
図４に示すように、第１のカードＣ１の前端部１ｃがストッパ部４４に当たったときに、前記掛止部４９ａが、第１のカードＣ１の右側部に形成された中間凹部８に嵌合する。同様に、図６に示すように、第２のカードＣ２が挿入されてその前端部１ｃがストッパ部４４に当たったときも、前記掛止部４９ａが、第２のカードＣ２の右側部に形成された中間凹部８に嵌合する。
【００７５】
スライダ４０と筐体２１との間には、スライダ４０を奥側（（ａ）側）でロックするためのロック機構３５が設けられている。ロック機構３５は、スライダ４０の上面に形成された溝カム４２と、筐体２１に設けられたロックピン３６とで構成されている。
【００７６】
ロックピン３６は、基端部３６ａと先端部３６ｂが直角に折り曲げられている。図４に示すように、ロックピン３６の基端部３６ａが、筐体本体２２の前壁部２４の上部に形成された保持凹部２４ｃ内に回動自在に支持されている。ロックピン３６の先端部３６ｂは、溝カム４２内に摺動自在に挿入されている。図１に示すように、金属板で形成された蓋体２３の天井板２３ａには、右手前側にロック板ばね３７が一体に形成されている。このロック板ばね３７は、天井板２３ａの一部を切り抜いて形成された片持ち支持ばねである。前記ロックピン３６はこのロック板ばね３７によって押圧され、先端部３６ｂが溝カム４２の溝底部に押し付けられている。
【００７７】
図４に示すように、溝カム４２は、奥側（（ａ）側）の端部に位置するロック解除部４２ａと、このロック解除部４２ａよりも手前側（（ｂ）側）に位置するロック部４２ｂを有している。ロック解除部４２ａとロック部４２ｂとの間には、左側に往路溝４２ｃが形成され、右側に復路溝４２ｄが形成されている。溝カム４２の内部では、ロック解除部４２ａ，往路溝４２ｃ，ロック部４２ｂ，復路溝４２ｄの各部の境界部に段差が形成されており、ロックピン３６の先端部３６ｂは、ロック解除部４２ａ→往路溝４２ｃ→ロック部４２ｂ→復路溝４２ｄ→ロック解除部４２ａの順でのみ摺動でき、その逆の行程を辿ることができない。
【００７８】
図４では、スライダ４０が、圧縮コイルばね５１の付勢力によって手前側（（ｂ）側）へ移動させられて、筐体本体２２の前壁部２４に突き当てられている。このとき、ロックピン３６の先端部３６ｂは、溝カム４２のロック解除部４２ａ内に位置している。選択凸部４６ｅが、図３（Ｂ）に示す規制部５６で規制されることなく挿入移動部５５ｂ内を移動して、スライダ４０が奥側（（ａ）側）まで移動することができると、図５に示すように、ロックピン３６の先端部３６ｂが、溝カム４２の往路溝４２ｃ内を通過してロック部４２ｂに至り、スライダ４０は手前側（（ｂ）側）へ戻らないようにロックされる。
【００７９】
その後、スライダ４０を短い距離だけ奥側（（ａ）側）へ移動させると、ロックピン３６の先端部３６ｂが、溝カム４２のロック部４２ｂから抜け出て、復路溝４２ｄに向けて案内され、スライダ４０のロックが解除される。よって、スライダ４０は、図４に示す初期位置に復帰し、この間に、ロックピン３６の先端部３６ｂが、復路溝４２ｄからロック解除部４２ａに戻る。
【００８０】
図１に示すように、蓋体２３の左側板２３ｄには、側圧板ばね５８が一体に形成されている。図４に示すように、側圧板ばね５８は、筐体２１の内部に入り込んで、筐体２１の収納領域内の上方部分に位置している。
【００８１】
図４に示すように、第１のカードＣ１が正常な姿勢で挿入されると、前記側圧板ばね５８が、第１のカードＣ１の左側の前方凹部６内に入り込む。側圧板ばね５８が前方凹部６内で且つ薄肉部７の上に入り込むために、筐体２１の内部に挿入されるカードの先部が底壁部２８から浮き上がるのを防止できる。図５に示すように、第１のカードＣ１と共にスライダ４０が奥側（（ａ）側）へ押し込まれてロックされると、側圧板ばね５８が第１のカードＣ１の左側部１ｆを弾圧し、第１のカードＣ１が（ｄ）方向へ押される。よって、第１のカードＣ１によって、スライダ４０上の検知部材４６が（ｄ）方向へ確実に押されることになり、検知部材４６に設けられた選択凸部４６ｅが、規制部５６に不用意に規制されるなどの誤動作を防止しやすくなる。
【００８２】
図１１には、筐体本体２２の底壁部２８の形状が示されている。底壁部２８には、奥側（（ａ）側）に、接続端子６１が設けられている。接続端子６１は、図１４に示した第１のカードＣ１の裏面１ｂに露出している外部接続電極５と同じ数で且つ同じピッチで配列している。底壁部２８の手前側には外部端子６２が設けられている。複数の接続端子６１と複数の外部端子６２は、それぞれ一対一で導通している。
【００８３】
図２に示すように、接続端子６１は底壁部２８から上方へ突出しており、第１のカードＣ１が図５に示す位置まで正常に装着されると、それぞれの接続端子６１は、第１のカードＣ１に設けられた外部接続電極５に接続される。また、外部端子６２は、カードコネクタ２０が実装する回路基板などの電極部に半田付けされる。
【００８４】
図１１に示すように、筐体本体２２の底壁部２８の右側部分にはスイッチ機構６５が設けられている。このスイッチ機構６５には、底壁部２８の上面に（ａ）−（ｂ）方向へ延びる一対の摺動電極６６，６７が設けられている。前記スライダ４０に搭載されて前記検知部材４６を付勢しているトーション圧縮ばね４７の２つの腕部４７ａ，４７ｂは、それぞれ接点として機能しており、腕部４７ａ，４７ｂは、共に底壁部２８の上面に弾圧されている。
【００８５】
図４に示すように、スライダ４０が手前側（（ｂ）側）に位置しているとき、前記腕部４７ａ，４７ｂは、共に摺動電極６６，６７から外れている。このとき、摺動電極６６と摺動電極６７は非導通である。スライダ４０が（ａ）方向へ押されて移動するときは、一方の腕部４７ａが摺動電極６６に接触してこの摺動電極６６の上を移動する。
【００８６】
スライダ４０において検知部材４６が（ｃ）方向へ突出しているときには、スライダ４０が（ａ）方向へ移動するときに、腕部４７ｂが摺動電極６７から外れた左側部分を移動し、腕部４７ｂと摺動電極６７とが接触することはない。このとき、摺動電極６６と摺動電極６７は導通しない。一方、検知部材４６が（ｄ）方向へ押された状態でスライダ４０が（ａ）方向へ移動すると、腕部４７ｂが摺動電極６７の上を摺動し、金属製で導電性のトーション圧縮ばね４７を介して摺動電極６６と摺動電極６７とが導通する。
【００８７】
制御部において、摺動電極６６と摺動電極６７との導通状態を監視することにより、スライダ４０が（ａ）方向へ移動するときに、検知部材４６が（ｃ）方向へ突出しているか、（ｄ）方向へ押し込まれているかを識別することができる。
【００８８】
（第１の実施の形態のカードコネクタ２０への正常な装着動作）
第１の実施の形態のカードコネクタ２０になにも装着されていないときは、スライダ４０が挿入口２９側（（ｂ）側）へ移動している。また、図３（Ａ）（Ｂ）に示すように、スライダ４０上で、トーション圧縮ばね４７の付勢力によって検知部材４６が（ｃ）方向へ移動させられ、第１傾斜面４６ａと第２傾斜面４６ｂが、スライダ４０の左側部の検知面４１から収納領域へ突出している。
【００８９】
そのため、挿入口２９から第１のカードＣ１より厚さ寸法の薄いカードや幅寸法の短いカード、あるいはカード以外の異物が挿入され、この異物でスライダ４０と一体のストッパ部４４が押されたとしても、図３（Ｂ）に示すように、（ｃ）方向へ移動している検知部材４６の選択凸部４６ｅが、規制移動部５５ａの限られた移動範囲だけ（ａ）方向へ移動した時点で、規制部５６に当たる。よって、それ以上はスライダ４０が（ａ）方向へ移動することがない。
【００９０】
また、選択凸部４６ｅが規制部５６に当たったとき、スライダ４０に設けられた溝カム４２のロック部４２ｂは、ロックピン３６の先端部３６ｂに掛止される位置に至っておらず、スライダ４０はロック機構３５によってロックされない。よって、第１のカードＣ１より厚さ寸法の薄いカードや幅寸法の短いカード、あるいはカード以外の異物を取り出せば、スライダ４０は圧縮コイルばね５１の付勢力によって（ｂ）方向へ移動して初期位置に復帰する。
【００９１】
なお、図３（Ａ）に示すように、検知部材４６には（ｂ）方向に向く第１傾斜面４６ａと（ａ）方向に向く第２傾斜面４６ｂが設けられている。そのため、形状の相違するカードや異物が挿入されまた引き抜かれるときに、カードや異物と、第１傾斜面４６ａあるいは第２傾斜面４６ｂが摺動するため、カードや異物が検知部材４６に引っ掛かることがない。
【００９２】
図１１に示すように、カードが挿入されておらず、スライダ４０が（ｂ）側へ移動して初期位置にあるとき、スライダ４０に搭載されたトーション圧縮ばね４７の腕部４７ａと腕部４７ｂが、共に、底壁部２８に設けられた摺動電極６６と摺動電極６７よりも（ｂ）側へ位置しており、摺動電極６６と摺動電極６７が導通していない。
【００９３】
図３（Ｂ）に示すように、スライダ４０が（ａ）方向へ少しだけ移動して、選択凸部４６ｅが規制部５６に当たった時点では、図１１に示す腕部４７ａが摺動電極６６に接触する位置までは至っておらず、摺動電極６６と摺動電極６７とが導通することはない。よって、第１のカードＣ１よりも薄いカードや幅寸法の短いカード、その他の異物が挿入されてストッパ部４４が押されたときに、スイッチ機構６５から、第１のカードＣ１が正常に装着されたときと同じ検知出力が出るのを防止できる。
【００９４】
図４と図５は、第１のカードＣ１が正常な向きで装着されるときの動作を示している。
図２および図４に示すように、第１のカードＣ１が、その前端部１ｃが前方に向けられ、表面１ａが上に向けられた正常な姿勢で挿入口２９から挿入されると、第１のカードＣ１のケース１の右側に形成された薄肉部７が、図３（Ａ）に示すスライダ４０の手前側に設けられている保持板ばね４９の掛止部４９ａの下側を通過し、さらに収納領域に突出している検知部材４６の下側および案内凸部４５の下側を通過する。前記保持板ばね４９の掛止部４９ａは、第１のカードＣ１の右側の前方凹部６の後端に形成された傾斜部６ｂを摺動して（ｄ）方向へ変形させられる。さらに掛止部４９ａは、第１のカードＣ１の右側部１ｅを摺動し、第１のカードＣ１の前端部１ｃがストッパ部４４に当たった時点で、掛止部４９ａが第１のカードＣ１の中間凹部８に嵌合し、第１のカードＣ１とスライダ４０とが仮止めされる。
【００９５】
さらに、第１のカードＣ１の前端部１ｃがスライダ４０のストッパ部４４に当たる直前に、検知部材４６の第１傾斜面４６ａが、第１のカードＣ１の前方凹部６の後方の傾斜部６ｂを摺動し、図４に示すように、前端部１ｃがストッパ部４４に当たった時点で、第１のカードＣ１の右側部１ｅが検知部材４６を（ｄ）方向へ押圧し、前記検知部材４６がトーション圧縮ばね４７に対抗してスライダ４０内に押し込まれる。
【００９６】
図４に示すように、掛止部４９ａによって、第１のカードＣ１がスライダ４０に仮止めされた状態で、第１のカードＣ１が筐体２１の内部に押し込まれると、第１のカードＣ１の前端部１ｃによってストッパ部４４が押され、スライダ４０が（ａ）方向へ移動する。このとき、検知部材４６が（ｄ）方向へ押し込まれているため、検知部材４６に設けられた選択凸部４６ｅが、図３（Ｂ）に示す穴部５５の挿入移動部５５ｂ側に移動している。よって、スライダ４０が（ａ）方向へ移動するときに、選択凸部４６ｅが規制部５６に当たることなく挿入移動部５５ｂ内を（ａ）方向へ移動する。
【００９７】
よって、図５に示すように、第１のカードＣ１とスライダ４０は、筐体２１の奥方向まで移動させられ、スライダ４０に形成された溝カム４２のロック部４２ｂが、ロックピン３６の先端部３６ｂに係止されて、スライダ４０がその位置でロックされる。
【００９８】
このとき、図１１に示すように、筐体本体２２の奥側に設けられた接続端子６１のそれぞれが、図１４に示すように、第１のカードＣ１の裏面１ｂに露出する外部接続電極５のそれぞれに弾圧して接続される。
【００９９】
第１のカードＣ１が正常な姿勢で挿入されると、図１１に示す検知部材４６が（ｄ）方向へ押されるため、トーション圧縮ばね４７の腕部４７ｂが（ｄ）方向へ押される。よって、第１のカードＣ１と共にスライダ４０が（ａ）方向へ移動するときに、トーション圧縮ばね４７の一方の腕部４７ａが筐体２１の底部の摺動電極６６に接触して摺動するとともに、他方の腕部４７ｂも摺動電極６７に接触して摺動する。よって、トーション圧縮ばね４７によって摺動電極６６と摺動電極６７とが導通され、制御部では、第１のカードＣ１が正常に装填されたと認識する。
【０１００】
第１のカードＣ１をカードコネクタ２０から離脱させるときは、図５に示すように、正常に装着されている状態から第１のカードＣ１を奥側（（ａ）側）へ押す。第１のカードＣ１と共にスライダ４０が少しだけ奥側へ移動すると、ロックピン３６の先端部３６ｂが、溝カム４２のロック部４２ｂから外れ、スライダ４０が付勢部材の力で手前側（（ｂ）側）へ戻される。よって、図２に示すように、スライダ４０が初期位置に復帰し、第１のカードＣ１の後端部が挿入口２９から突出させられる。
【０１０１】
（第１の実施の形態のカードコネクタ２０への異常な装着動作）
図１２ないし図１４に示すように、第１のカードＣ１と第２のカードＣ２は、その全体の形状および寸法がほぼ同じである。しかし、第１のカードＣ１と第２のカードＣ２の駆動電圧が相違する場合など、第１のカードＣ１の専用のカードコネクタ２０と第２のカードＣ２の専用のカードコネクタ７０を別々に使用することが必要となることがある。この場合に、カードコネクタに異なるカードが装着されないように阻止することが必要である。
【０１０２】
第１の実施の形態のカードコネクタ２０は、前述のように第１のカードＣ１のみが専用として装着されるものであり、第２のカードＣ２が装着されるのを阻止する機能を有している。
【０１０３】
図６は、第１の実施の形態のカードコネクタ２０に図１５に示す第２のカードＣ２が挿入されたときの動作を示している。図６では、第２のカードＣ２が、その前端部１ｃが筐体２１の奥側に向けられ、表面１ａが上に向けられた姿勢で挿入されている。このとき、第２のカードＣ２の右前方に設けられた薄肉部１７が、図３（Ａ）に示す案内凸部４５の下に入り込むことができ、第２のカードＣ２の前端部１ｃがストッパ部４４に当たり、掛止部４９ａが中間凹部８に嵌合して、第２のカードＣ２がスライダ４０に仮止めされてしまう。
【０１０４】
しかし、第２のカードＣ２は、前方凹部１６の前端部１ｃからの長さ寸法Ｌ１１が第１のカードＣ１よりも長いために、前端部１ｃがストッパ部４４に当たった時点で、検知部材４６は前方凹部１６内に突出した状態である。
【０１０５】
そのため、図６の状態から第２のカードＣ２を筐体２１の奥側に押し込んで、スライダ４０を移動させると、図３（Ｂ）に示しているように、検知部材４６に設けられた選択凸部４６ｅが、穴部５５の規制移動部５５ａ内を移動し、選択凸部４６ｅが規制部５６に当たり、スライダ４０および第２のカードＣ２がそれ以上奥側へ挿入されるのを阻止できる。
【０１０６】
選択凸部４６ｅが規制部５６に当たった時点で、スライダ４０はロック機構３５でロックされていないため、第２のカードＣ２への押し力を解除すると、圧縮コイルばね５１の付勢力によって、第２のカードＣ２およびスライダ４０が挿入口２９に戻される。
【０１０７】
よって、使用者が、第１のカードＣ１の代わりに誤って第２のカードＣ２を装着した場合に、その第２のカードＣ２を筐体２１の奥まで押し込むことができず、挿入口から突出しようとするため、誤って第２のカードを挿入していることを容易に認識できる。
【０１０８】
また、前記カードコネクタ２０に対して、第１のカードＣ１が表裏逆向きや前後逆向きに挿入されたときには、挿入側の先部の側方部分がスライダ４０の案内凸部４５に当たり、第１のカードＣ１をストッパ部４４と当たる位置まで挿入することができないため、使用者は、誤った挿入であることを容易に理解できる。
【０１０９】
（第２の実施の形態のカードコネクタ７０の構造）
図７は、第２の実施の形態のカードコネクタ７０の一部分を示している。
【０１１０】
第２の実施の形態のカードコネクタ７０は、蓋体２３の天井板２３ａにおいて、スライダ４０の上に開口している穴部（または切欠き部）１５５の形状が、図３（Ｂ）に示す第１の実施の形態のカードコネクタ２０の穴部５５の形状と相違している。ただし、穴部１５５の構造以外では、第２の実施の形態のカードコネクタ７０の各部の構造は、第１の実施の形態のカードコネクタ２０の各部の構造と全く同じである。よって、図７ないし図１０に示す第２の実施の形態のカードコネクタ７０では、穴部１５５以外の構成要素に第１の実施の形態のカードコネクタ２０の説明に使用したのと同じ符号を付して、その詳しい説明を省略する。
【０１１１】
図７に示すように、天井板２３ａに形成された穴部１５５の形状は、図３（Ｂ）に示した穴部５５と左右対称である。幅寸法Ｂａの規制移動部１５５ａは、（ｄ）側に形成されており、幅寸法Ｂｂの挿入移動部１５５ｂは（ｃ）側すなわち収納領域側に形成されている。規制移動部１５５ａと挿入移動部１５５ｂとの境界部には規制部１５６が設けられている。
【０１１２】
規制移動部１５５ａの（ａ）−（ｂ）方向の長さは、図３（Ｂ）に示す規制移動部５５ａの長さと同じであり、挿入移動部１５５ｂの長さも、図３（Ｂ）に示す挿入移動部５５ｂの長さと同じである。
【０１１３】
第２の実施の形態のカードコネクタ７０では、図８に示すように、スライダ４０から検知部材４６が（ｃ）方向へ突出しているときに、検知部材４６に設けられた選択凸部４６ｅが、穴部１５５の挿入移動部１５５ｂ内を移動できる。よって、スライダ４０が筐体２１の奥まで移動しロック機構３５によってロックされる。
【０１１４】
図１０に示すように、検知部材４６がスライダ４０内に押し込まれると、検知部材４６に設けられた選択凸部４６ｅが穴部１５５の規制移動部１５５ａ内に移動する。よって、スライダ４０が（ａ）方向へ少し移動すると、選択凸部４６ｅが規制部１５６に当たって、スライダ４０がロック機構３５でロックできる位置まで移動できない。
【０１１５】
（第２の実施の形態のカードコネクタ７０への正常な装着動作）
第２の実施の形態のカードコネクタ７０は、第２のカードＣ２の装着専用であり、第１のカードＣ１の装着を阻止する機能を有している。
【０１１６】
図８に示すように、第２のカードＣ２が、前端部１ｃが前方へ向き表面１ａが上を向く正常な姿勢で挿入されると、右側の薄肉部１７が、掛止部４９ａの下側を移動し、さらに検知部材４６と案内凸部４５の下側の下部案内部４１ａ内に入り込む。第２のカードＣ２の前端部１ｃがスライダ４０と一体のストッパ部４４に当たると、保持板ばね４９の掛止部４９ａが第２のカードＣ２の中間凹部８に嵌合する。
【０１１７】
ただし、図８に示すように、第２のカードＣ２は前方凹部１６の長さ寸法Ｌ１１が大きいため、前端部１ｃがストッパ部４４に当たったときに、検知部材４６は前方凹部１６内に突出している。よって、図７に示すように、検知部材４６に設けられた選択凸部４６ｅが穴部１５５の挿入移動部１５５ｂ内に位置しており、第２のカードＣ２と共にスライダ４０が押されたときに、選択凸部４６ｅが挿入移動部１５５ｂ内を移動し、図９に示すように、スライダ４０がロック機構３５でロックされる位置まで移動させられる。
【０１１８】
スライダ４０がロックされたときに、筐体本体２２の底壁部２８に設けられた接続端子６１が、第２のカードＣ２の裏面に設けられた外部接続電極に接続される。
【０１１９】
（第２の実施の形態のカードコネクタ７０への異常な装着動作）
図１０は、第２の実施の形態のカードコネクタ７０に第１のカードＣ１が挿入された状態を示している。
【０１２０】
第１のカードＣ１が、前端部１ｃを前方に向け表面１ａを上に向けた正常な姿勢で装着されると、前端部１ｃがスライダ４０のストッパ部４４に当たった時点で、第１のカードＣ１の右側部１ｅによって検知部材４６が（ｄ）方向へ押される。よって、検知部材４６に設けられた選択凸部４６ｅが穴部１５５の規制移動部１５５ａ内に移動する。そのため、第１のカードＣ１と共にスライダ４０が（ａ）方向へ押し込まれたときに、選択凸部４６ｅが規制部１５６に当たり、スライダ４０をロック機構３５でロックされる位置まで挿入できない。
【０１２１】
よって、第２のカードＣ２を装着すべきカードコネクタ７０に、誤って第１のカードＣ１を挿入したときに、その誤挿入を直ちに理解しやすくなる。
【０１２２】
なお、カードコネクタ７０に第２のカードＣ２が表裏逆向きまたは前後逆向きに装着されたときも、カードの側部によって検知部材４６が（ｄ）方向へ押し込まれるために、スライダ４０が（ａ）方向の奥まで挿入されてロック機構３５でロックされるのを阻止できる。
【０１２３】
第２の実施の形態のカードコネクタ７０には、図１１に示すスイッチ機構６５が搭載されている。ただし、第２の実施の形態では、摺動電極６６と摺動電極６７とが、第１の実施の形態よりも、やや（ｂ）方向へ長く延びていることが好ましい。
【０１２４】
この場合、スライダ４０が（ｂ）方向へ移動して初期位置にあるときは、トーション圧縮ばね４７の腕部４７ａと腕部４７ｂが、共に摺動電極６６および摺動電極６７よりも（ｂ）側に位置しており、摺動電極６６と摺動電極６７とが非導通状態である。
【０１２５】
図８と図９に示すように、第２のカードＣ２が正常に装着されているときは、スライダ４０が（ａ）方向へ移動するときに、トーション圧縮ばね４７の一方の腕部４７ａが摺動電極６６上を摺動するが、他方の腕部４７ｂは、摺動電極６７に当たらずその左側を移動する。よって、第２のカードＣ２が正常に装着されたとき、摺動電極６６と摺動電極６７は非導通状態である。
【０１２６】
一方、図１０に示すように、カードコネクタ７０に第１のカードＣ１が挿入され、または第２のカードＣ２が表裏逆向きや前後逆向きの姿勢で挿入されると、検知部材４６が（ｄ）方向へ押され、選択凸部４６ｅが規制部５６に当たり、スライダ４０の（ａ）方向の移動が制限される。この場合に、選択凸部４６ｅが規制部５６に当たる位置までスライダ４０が移動すると、腕部４７ａが摺動電極６６に接触し、腕部４７ｂが摺動電極６７に接触する。このように、カードコネクタ７０が誤動作してスライダ４０の移動が制限されているときにのみ、摺動電極６６と摺動電極６７とがトーション圧縮ばね４７を介して導通させられる。制御部では、摺動電極６６と摺動電極６７とが導通しているときに、誤挿入動作が行われていると認識でき、例えば接続端子６１の電圧部への通電を止めるなどの対応が可能になる。
【図面の簡単な説明】
【０１２７】
【図１】本発明の第１の実施の形態のカードコネクタを示す斜視図、
【図２】第１の実施の形態のカードコネクタに第１のカードが挿入された状態を、蓋体を外して示す斜視図、
【図３】第１の実施の形態のコネクタの一部を示すものであり、（Ａ）はスライダの斜視図、（Ｂ）はスライダと規制部との関係を示す斜視図、
【図４】第１の実施の形態のカードコネクタに第１のカードが挿入された状態を、蓋体を外して示す平面図、
【図５】第１の実施の形態のカードコネクタに第１のカードが挿入されてスライダがロックされた状態を、蓋体を外して示す平面図、
【図６】第１の実施の形態のカードコネクタに第２のカードが挿入された状態を、蓋体を外して示す平面図、
【図７】本発明の第２の実施の形態のカードコネクタの、スライダと規制部との位置関係を示す部分斜視図、
【図８】第２の実施の形態のカードコネクタに第２のカードが挿入された状態を、蓋体を外して示す平面図、
【図９】第２の実施の形態のカードコネクタに第２のカードが挿入されてスライダがロックされた状態を、蓋体を外して示す平面図、
【図１０】第２の実施の形態のカードコネクタに第１のカードが挿入された状態を、蓋体を外して示す平面図、
【図１１】第１の実施の形態と第２の実施の形態のカードコネクタの筐体の底部の構造を示す平面図、
【図１２】第１のカードの平面図、
【図１３】第１のカードの左側面図、
【図１４】第１のカードを下から示す斜視図、
【図１５】第２のカードの平面図、
【符号の説明】
【０１２８】
Ｃ１  第１のカード
Ｃ２  第２のカード
１，１１  ケース
１ａ  表面
１ｂ  裏面
１ｃ  前端部
１ｄ  後端部
１ｅ  右側部
１ｆ  左側部
５  外部接続電極
６，１６  前方凹部
６ｂ，１６ｂ  傾斜部
７，１７  薄肉部
８  中間凹部
２０  第１の実施の形態のカードコネクタ
２１  筐体
２２  筐体本体
２３  蓋体
３５  ロック機構
３６  ロックピン
４０  スライダ
４１  案内面
４１ａ  下部案内部
４２  溝カム
４４  ストッパ部
４５  案内凸部
４６  検知部材
４６ｅ  選択凸部
４７  トーション圧縮ばね
４７ａ，４７ｂ  腕部
４９  保持板ばね
４９ａ  掛止部
５５  第１の実施の形態の穴部
５６  規制部
７０  第２の実施の形態のカードコネクタ
１５５  第２の実施の形態の穴部
１５６  規制部
【図１】
2009164003.tif 000003
【図２】
2009164003.tif 000004
【図３】
2009164003.tif 000005
【図４】
2009164003.tif 000006
【図５】
2009164003.tif 000007
【図６】
2009164003.tif 000008
【図７】
2009164003.tif 000009
【図８】
2009164003.tif 000010
【図９】
2009164003.tif 000011
【図１０】
2009164003.tif 000012
【図１１】
2009164003.tif 000013
【図１２】
2009164003.tif 000014
【図１３】
2009164003.tif 000015
【図１４】
2009164003.tif 000016
【図１５】
2009164003.tif 000017